(57)【要約】【課題】開梱時に同梱の梱包箱が落下する事故が生じにくい梱包装置を提供する。【解決手段】梱包装置１００は、製品１が載置される下部外装箱５と、製品の上に設けられた上部緩衝材２と、製品上で上部緩衝材の間に配置される梱包箱１０と、上方から被せて製品と梱包箱を収納する上部外装箱６と、梱包箱と上部外装箱の間に設けられて梱包箱を下方に付勢する蛇腹部材２２を有する。上部外装箱を引き上げて開梱する際、蛇腹部材の付勢力により梱包箱は外装箱とともに持ち上げられることなく、製品の上に残存する。外装箱の持ち上げによる開梱時に梱包箱が落下して内容物が破損する事故は未然に防止される。【選択図】図２
2019131218.tif 000002
【特許請求の範囲】
【請求項１】
被梱包物が載置される下部外装箱と、
前記下部外装箱に載置された被梱包物の上部に設けられる上部緩衝材と、
前記上部緩衝材の上方から前記下部外装箱に向けて被梱包物に被せることにより被梱包物を収納する上部外装箱と、
前記上部緩衝材に隣接して被梱包物の上側に配置される梱包箱と、
を有する梱包装置であって、
前記梱包箱と前記上部外装箱の間に設けられて前記梱包箱を下方に付勢する付勢部材を有することを特徴とする梱包装置。
【請求項２】
前記付勢部材は、前記梱包箱に設けられた蛇腹部材であることを特徴とする請求項１記載の梱包装置。
【請求項３】
前記付勢部材は、前記上部外装箱に設けられた蛇腹部材であることを特徴とする請求項１記載の梱包装置。
【発明の詳細な説明】
【技術分野】
【０００１】
本発明は、物品を安全な状態で搬送するために当該物品を収納する梱包装置に係り、特に、付属品の梱包箱が物品の上に載置されて同梱されている場合において、物品に被せた上部外装箱を引き上げて除去した場合に、梱包箱が落下して内容物が損傷するのを防止した梱包装置に関するものである。
【背景技術】
【０００２】
特許文献１には、包装用パッド及び梱包装置の発明が開示されている。この発明の包装用パッドは、薄板状で複数のコーナー部ｓを有するベース１５と、コーナー部ｓと重ね合わされるコーナー載置面Ｆが形成された複数の緩衝体１６と、重ね合わせたコーナー部ｓと緩衝体のコーナー載置面Ｆとを連結する連結手段１７を具備する。この発明の包装用パッドは、主梱包物の上側には付属包装物を載置することができる。パレット７の上に被梱包物を載置し、その上に包装用パッドを用いて付属包装物を載置し、段ボール箱８を被せて被梱包物及び付属包装物を梱包することができる。この梱包装置の開梱作業時に、段ボール箱８を引き上げて被梱包物から抜き去っても、段ボール箱８から付属包装物が落下しないものとされている。
【先行技術文献】
【特許文献】
【０００３】
【特許文献１】特開２００２−１４５３３８号公報
【発明の概要】
【発明が解決しようとする課題】
【０００４】
特許文献１に開示された梱包装置の発明によれば、被梱包物の上部に設けた包装用パッドに付属包装物の収納箱を同梱物として配置し、外装箱である段ボール箱８を上から被せる梱包形態をとることができる。しかし、このような梱包形態を採用するためには、包装用パッドベース１５と緩衝体１６を連結手段１７で連結して包装用パッドを組み立てるという手間のかかる作業を行なう必要があるという問題があった。
【０００５】
また、開梱する際に段ボール箱８の上部のフラップや蓋を開かずに、段ボール箱８自体を持ち上げると、段ボール箱８の内面との摩擦力により収納箱を載置した包装用パッドが段ボール箱８と一緒に持ち上げられてしまい、段ボール箱８の開口から落下して収納箱内の付属品が破損する事故が発生する場合があるという問題があった。
【０００６】
特許文献１には、「段ボール箱を下から上にスライドさせて外す時に、包装用パッドが一体化しているので、付属包装物の落下を容易に防止でき」るとの記載があるが、実際には付属品の収納箱（あるいは包装用パッド）が浮き上がるのを防止する機能は不十分であり、前述のような問題の発生を避けることはできなかった。
【０００７】
図８及び図９は、特許文献１に開示された梱包装置とは構造が一部異なる他の従来の梱包装置を示している。この梱包装置も、特許文献１に開示された梱包装置と実質的に同一の問題を有しており、以下に図を参照して前記問題点を具体的に説明する。
図８は、梱包状態では視認できない梱包装置の内部の構成を示す斜視図であって、後述する図９の各分図の理解のために、その正面方向を図中に矢印ａで示して図９の分図の符号（ａ−１）等と対応させ、その側面方向（右側面方向）を図中に矢印ｂで示して図１０の分図の符号（ｂ−１）等と対応させたものである。この図８には、被梱包物である製品１と、製品１の上部と下部の各２つの縁部に設けられる合計４個の緩衝材２，３と、２個の上部緩衝材２，２の間に設けられて製品１と同梱される付属品の梱包箱４とが示されている。
【０００８】
図９に示すように、この梱包装置は、図９で示した製品１及び梱包箱４を、前述した上下部緩衝材２，３を介して下部外装箱５と上部外装箱６の内部に収納している。組み合わされた上部外装箱６及び下部外装箱５の内形状及びその寸法は、図９に示すように上下部緩衝材２，３で覆われた製品１の外形状及びその寸法と略同一である。従って製品１は、上部外装箱６の内部で上下部緩衝材２，３によって移動しないように確実に保持される。
【０００９】
図９（ａ−１），（ｂ−１）に示す梱包装置を開梱するには、図９（ａ−２），（ｂ−２）に示すように、上部外装箱６を真上に引き上げる。上部外装箱６の引き上げに伴い、上部外装箱６の内面と上部緩衝材２の摩擦により、上部緩衝材２及び梱包箱４は、上部外装箱６とともに上方に移動する。
【００１０】
図９（ａ−３），（ｂ−３）に示すように、上部外装箱６を製品１から外すと、上部緩衝材２及び梱包箱４は上部外装箱６から落下する。これにより、梱包箱４の内部にある付属品が損傷する場合があった。
【００１１】
本発明は、このような従来の技術及びその課題に鑑みてなされたものであり、複数の部品を組み立てる等の手間を必要としない簡単な構造であり、かつ開梱する際に外装箱を開かずに持ち上げても、同梱されている付属品等の梱包箱が、外装箱の内面との摩擦力により浮き上がって落下し、付属品等が破損するような事故が発生しにくい梱包装置を提供することを目的としている。
【課題を解決するための手段】
【００１２】
請求項１に記載された梱包装置は、
被梱包物が載置される下部外装箱と、
前記下部外装箱に載置された被梱包物の上部に設けられる上部緩衝材と、
前記上部緩衝材の上方から前記下部外装箱に向けて被梱包物に被せることにより被梱包物を収納する上部外装箱と、
前記上部緩衝材に隣接して被梱包物の上側に配置される梱包箱と、
を有する梱包装置であって、
前記梱包箱と前記上部外装箱の間に設けられて前記梱包箱を下方に付勢する付勢部材を有することを特徴としている。
【発明の効果】
【００１３】
請求項１に記載された梱包装置によれば、被梱包物に被せた上部外装箱を引き上げて開梱しようとした場合、外装箱の内面と上部緩衝材との摩擦力により、上部緩衝材及び梱包箱には外装箱とともに浮き上がろうとする力が作用する。しかしながら、上部外装箱と梱包箱の間には、梱包箱を下方に付勢する付勢部材が設けられているため、梱包箱は外装箱とともに持ち上げられることなく、付勢部材の付勢力に押さえ付けられて被梱包物の上側に残存する。従って、外装箱の持ち上げによる開梱時に梱包箱が落下して内容物が破損する事故は未然に防止される。
【図面の簡単な説明】
【００１４】
【図１】上部外装箱と下部外装箱を省略した第１実施形態の梱包装置を、その正面方向（ａ）と側面方向（ｂ）を表す矢印ａ，ｂとともに示した斜視図である。
【図２】第１実施形態の梱包装置を開梱する際の動作を示す断面図であって、分図（ａ−１）、（ａ−２）、（ａ−３）は正面方向から見た梱包時、開梱時、開梱後の状態をそれぞれ示す断面図であり、分図（ｂ−１）、（ｂ−２）、（ｂ−３）は側面方向から見た梱包時、開梱時、開梱後の状態をそれぞれ示す同断面図である。
【図３】第１実施形態の梱包装置における梱包箱の一形態を示す斜視図である。
【図４】第１実施形態の梱包装置における梱包箱の他形態を示す斜視図である。
【図５】第１実施形態の梱包装置における梱包箱の他形態を示す斜視図である。
【図６】第２実施形態の梱包装置を開梱した状態を示す断面図であって、分図（ａ）は正面方向から見た断面図であり、分図（ｂ）は側面方向から見た断面図である。
【図７】第３実施形態の梱包装置を開梱する際の動作を示す断面図であって、分図（ａ−１）、（ａ−２）、（ａ−３）は正面方向から見た梱包時、開梱時、開梱後の状態をそれぞれ示す断面図であり、分図（ｂ−１）、（ｂ−２）、（ｂ−３）は側面方向から見た梱包時、開梱時、開梱後の状態をそれぞれ示す同断面図である。
【図８】上部外装箱と下部外装箱を省略した従来の梱包装置を、その正面方向（ａ）と側面方向（ｂ）を表す矢印ａ，ｂとともに示した斜視図である。
【図９】従来の梱包装置を開梱する際の動作とその問題点を示す断面図であって、分図（ａ−１）、（ａ−２）、（ａ−３）は正面方向から見た梱包時、開梱時、開梱後の状態をそれぞれ示す断面図であり、分図（ｂ−１）、（ｂ−２）、（ｂ−３）は側面方向から見た梱包時、開梱時、開梱後の状態をそれぞれ示す同断面図である。
【発明を実施するための形態】
【００１５】
本発明の第１実施形態に係る梱包装置の構成を、図１及び図２〜図５を参照して説明する。
図１は、梱包状態では視認できない梱包装置の内部の構成を示す斜視図であって、後述する図２の各分図の理解のために、その正面方向を図中に矢印ａで示して図２の分図の符号（ａ−１）等と対応させ、その側面方向（右側面方向）を図中に矢印ｂで示して図２の分図の符号（ｂ−１）等と対応させたものである。
【００１６】
この図１には、被梱包物である製品１と、製品１の上部と下部の各２つの縁部に設けられる合計４個の緩衝材（上部緩衝材２及び下部緩衝材３）と、２個の上部緩衝材２，２の間に設けられて製品１と同梱される付属品の梱包箱１０とが示されている。また、図３〜図５は、前記梱包箱１０の構成とバリエーションの梱包箱１０ａ，１０ｂが示されている。
【００１７】
図２に示すように、この梱包装置１００は、図１で示した製品１及び梱包箱１０を、前述した上下部緩衝材２，３を介して下部外装箱５と上部外装箱６の内部に収納している。下部外装箱５は、パレット１１と、パレット１１の上面に取りつけられたベース板１２からなる。パレット１１は、同一形状の上ボード１３と下ボード１４で桁材１５を挟んで一体化したものであり、ベース板１２は、段ボール等により構成され、その四辺にはフラップ１２ａが設けられている。上部外装箱６は、下部が開口した箱体であり、段ボール等により構成される。上部外装箱６の内形状及びその寸法は、図１で示したように上下部緩衝材２，３で覆われた製品１の外形状及びその寸法と略同一であり、上下部緩衝材２，３で覆われた製品１が上部外装箱６の内部で移動することなく確実に保持されるようになっている。
【００１８】
図３に示すように、梱包箱１０は、段ボール、厚紙等から構成される箱体であって、図３上側に示すように、上下が開放された矩形枠体２０と、矩形枠体２０の上開口の長縁に設けられた蓋部２１と、矩形枠体２０の上開口の一対の短縁に設けられた付勢部材としての蛇腹部材２２と、矩形枠体２０の下開口に設けられて底面を構成する４枚のフラップ２３とを備えている。梱包時には、フラップ２３を組み立てて底面を構成し、矩形枠体２０の内部に梱包しようとする付属品等を収納し、図３下側に示すように、蛇腹部材を上方に出した状態で蓋部２１を閉める。
【００１９】
図２（ａ−１），（ｂ−１）に示すように、この梱包装置１００で製品１及び梱包箱１０を梱包する場合には、下部外装箱５の上に下部緩衝材３を設置し、下部緩衝材３に製品１の下部の縁部を接触させて製品１を載置する。製品１の上部の縁部に上部緩衝材２を設ければ、これを利用して、付属品を収納した梱包箱１０を２個の上部緩衝材２，２の間に直接配置して位置決めすることができる。この際、梱包箱１０の蛇腹部材２２は梱包箱１０の上面側に上向きに配置されるようにする。そして、製品１及び上部緩衝材２に対し、その上方から下部外装箱５に向けて、上部外装箱６を被せることにより、製品１等を内部に収納して梱包状態とする。なお、上部外装箱６を製品１に被せる際、上部外装箱６の下部は下部外装箱５のフラップ１２ａの内側に挿入し、上部外装箱６とフラップ１２ａを固定部材（図示せず）で固定する。この状態では、蛇腹部材２２は折り畳まれて縮退した状態で上部外装箱６の上部の内面に接している。すなわち、梱包状態における蛇腹部材２２は、梱包箱１０と上部外装箱６の間に縮退した状態で設けられており、上部外装箱６を基準にすれば梱包箱１０を下方に付勢している。
【００２０】
本発明の第１実施形態に係る梱包装置１００の開梱時の作用を図２を参照して説明する。
図２（ａ−１），（ｂ−１）に示す梱包装置１００を開梱するには、図２（ａ−２），（ｂ−２）に示すように、上部外装箱６とフラップ１２ａの固定を解除した後、上部外装箱６を真上に引き上げる。上部外装箱６の引き上げに伴い、上部外装箱６の内面と上部緩衝材２の摩擦により、上部緩衝材２は上部外装箱６とともに上方に移動する。また、２個の上部緩衝材２，２に挟まれていた梱包箱１０は、蛇腹部材２２が伸展する際の付勢力により、上部緩衝材２から離れて製品１の上に残留する。
【００２１】
図２（ａ−３），（ｂ−３）に示すように、上部外装箱６を製品１から外す。このとき、上部緩衝材２は上部外装箱６から落下するが（図示せず）、梱包箱１０は蛇腹部材２２を伸展させた状態で製品１の上面に残る。梱包箱１０が上部外装箱６の内部から落下して内部の付属品が損傷することはない。
【００２２】
このように、第１実施形態の梱包装置１００によれば、製品１に被せた上部外装箱６を引き上げて開梱する場合、梱包箱１０には上部外装箱６の上部内面を押し上げる付勢力を発揮する蛇腹部材２２が設けられているため、梱包箱１０は上部外装箱６とともに上方に持ち上げられることなく、蛇腹部材２２の付勢力に押されて製品１の上側に安定的に残存するため、梱包箱１０の内容物が落下して破損する事故は未然に防止される。
【００２３】
第１実施形態における梱包箱のバリエーションについて説明する。
図４に示す梱包箱１０ａは、段ボール、厚紙等から構成される箱体であって、図４上側に示すように、上下が開放された矩形枠体２０ａと、矩形枠体２０ａの上開口に設けられて上面を構成する４枚のフラップ２４と、矩形枠体２０ａの下開口に設けられて底面を構成する４枚のフラップ２３と、上開口の短縁フラップ２４の上側且つ長縁フラップ２４の下側に配置される矩形シート２５を有している。つまり、矩形シート２５は短縁フラップ２４と長縁フラップ２４との間に挟まれる。矩形シート２５の一対の短縁には、付勢部材としての蛇腹部材２２が設けられている。梱包時には、矩形枠体２０ａの下開口をフラップ２３で閉じ、矩形枠体２０ａの内部に梱包しようとする付属品等を収納し、上開口の短縁フラップを組み立て（折り曲げて被せる）、その上に矩形シート２５を載せ、図４下側に示すように、蛇腹部材２２を外に出した状態で上開口の長縁フラップ２４を組み立てて上開口を閉める。
【００２４】
この構造によっても図３の梱包箱１０と同様の作用効果を得ることができる他、矩形枠体２０ａを共通の構成としたまま、矩形シート２５を適宜交換することにより蛇腹部材２２の付勢力を調整することができる。
【００２５】
図５に示す梱包箱１０ｂは、段ボール、厚紙等から構成される筒体であって、図５上側に示すように、展開された本体シート２６の一対の短縁に、付勢部材としての蛇腹部材２２が設けられている。梱包時には、本体の内面上に梱包すべき付属品等をテープ等で固定し、図５下側に示すように、本体を筒状に組み立てて固定する。
【００２６】
この構造によっても図３及び図４の梱包箱１０ａと同様の作用効果を得ることができる他、本体と蛇腹部材２２が一体となった簡素な構成であるため、製造コストが安価であるという効果が得られる。
【００２７】
本発明の第２実施形態に係る梱包装置１００ａを図６を参照して説明する。
図６（ａ），（ｂ）に示す第２実施形態の梱包装置１００ａは、第１実施形態の梱包装置１００と主要部分において構成が共通しているが、梱包箱１０ｃに設けられた２つの蛇腹部材２２の各先端部付近に楕円形の把手孔３０が設けられている点が相違する。
【００２８】
図６（ａ），（ｂ）に示すように、この梱包装置１００ａによれば、上部外装箱６を引き上げて開梱するのでなく、上部外装箱６の上部のフラップ１６を開封して開梱する場合に、梱包箱１０ｃを外に取り出す操作が第１実施形態よりも容易になる。
【００２９】
図２に示した第１実施形態の梱包装置１００によれば、図２（ａ−１），（ｂ−１）の梱包状態において上部外装箱６の上部を開封して開梱すれば、縮退した蛇腹部材２２は抑えが無くなって上方に伸展する。ここで２個の上部緩衝材２，２の間に挟まった梱包箱１０を取り出すためには、２枚の伸びた蛇腹部材２２を掴んで上方に引っ張る必要がある。しかしながら、第１実施形態では、蛇腹部材２２は単なる薄いシート状であり、指で摘んだとしても、引っ張る力にまけて摘んだ指から抜けてしまい、梱包箱１０を引き出せない可能性がある。特に、梱包箱１０が２個の上部緩衝材２，２の間に隙間なく押し込まれている場合には、これを引っ張りだすためには相当強い力で蛇腹部材２２を引く必要があるため、単なるシート状の滑りやすい蛇腹部材２２では、梱包箱１０を引っ張りだすことは困難である。
【００３０】
図６（ａ）に示すように、第２実施形態では、２つの蛇腹部材２２の各先端部付近に楕円形の把手孔３０が設けられているため、上部外装箱６の上部のフラップ１６を開封して開梱した際、２枚の伸びた蛇腹部材２２の把手孔３０に指を掛けて強い力で上方に引き上げることができる。指を把手孔３０に掛けているため、指が蛇腹部材２２から離れてしまうことはなく、梱包箱１０ｃの両端を強い力で引き上げて２個の上部緩衝材２，２の間から確実に引き出すことができる。
【００３１】
本発明の第３実施形態に係る梱包装置１００ｃの構成を図７を参照して説明する。
図７は、第１実施形態の図２に対応する図であって、ここでは第１実施形態と異なる部分を中心に説明し、同様の構成部分であって説明を省略した部分は、第１実施形態と同一の符号を図７中に付して第１実施形態の説明を援用する。
【００３２】
図７（ａ−１），（ｂ−１）及び同（ａ−２），（ｂ−２）に示すように、第３実施形態の上部外装箱６ａは、下部が開口した箱体であり、段ボール等により構成される。上部外装箱６ａの上部は閉止されている。上部外装箱６ａの上部の下面において、２つの上部緩衝材２，２に挟まれた梱包箱１０ｄの長手方向の両端部に相当する位置には、付勢部材としての蛇腹部材２２が上下方向に伸縮自在となるように取りつけられている。すなわち、第１実施形態では、蛇腹部材２２は、梱包箱１０に設けられて上部外装箱６と梱包箱１０の間に配置されていたが、第３実施形態では、蛇腹部材２２は上部外装箱６ａの内面に設けられ、上部外装箱６ａと梱包箱１０ｄの間に配置されている。なお、第３実施形態では、梱包箱１０ｄは単なる箱であり、図４に示す梱包箱１０ａから矩形シート２５を除いた場合に相当する。または、図５に示す梱包箱１０ｂから蛇腹部材２２を除いた場合に相当する。
【００３３】
図７（ａ−１），（ｂ−１）に示すように、この梱包装置１００ｃで製品１及び梱包箱１０ｄを梱包する場合には、下部外装箱５の上に、下部緩衝材３を介して製品１を載置する。製品１の上部の縁部に上部緩衝材２を設け、付属品を収納した梱包箱１０ｄを２個の上部緩衝材２，２の間に配置する。そして、製品１及び上部緩衝材２に対し、その上方から下部外装箱５に向けて、上部外装箱６ａを被せることにより、製品１等を内部に収納して梱包状態とする。このとき、蛇腹部材２２は、上部外装箱６ａの内部において、折り畳まれて縮退した状態で梱包箱１０ｄの上面に接している。すなわち、梱包状態における蛇腹部材２２は、梱包箱１０ｄと上部外装箱６ａの間に縮退した状態で設けられており、上部外装箱６ａを基準にすれば梱包箱１０ｄを下方に付勢している。
【００３４】
本発明の第１実施形態に係る梱包装置１００の開梱時の作用を図７を参照して説明する。
図７（ａ−１），（ｂ−１）に示す梱包装置１００ｃを開梱するには、図７（ａ−２），（ｂ−２）に示すように、上部外装箱６ａを真上に引き上げる。上部外装箱６ａの引き上げに伴い、上部外装箱６ａの内面と上部緩衝材２の摩擦により、上部緩衝材２は上部外装箱６ａとともに上方に移動する。また、２個の上部緩衝材２，２に挟まれていた梱包箱１０ｄは、蛇腹部材２２が伸展する際の付勢力により、上部緩衝材２から離れて製品１の上に残留する。
【００３５】
図７（ａ−３），（ｂ−３）に示すように、上部外装箱６ａを製品１から外す。このとき、上部緩衝材２は上部外装箱６から落下するが（図示せず）、上部外装箱６ａの伸展した蛇腹部材２２に押し下げられた梱包箱１０ｄは、製品１の上面に残る。梱包箱１０ｄが上部外装箱６ａの内部から落下して内部の付属品が損傷することはない。
【００３６】
このように、第３実施形態の梱包装置１００ｃによれば、製品１に被せた上部外装箱６ａを引き上げて開梱する場合、上部外装箱６ａには、梱包箱１０ｄを押し下げる方向の付勢力を発揮する蛇腹部材２２が設けられているため、梱包箱１０ｄは上部外装箱６ａとともに持ち上げられることなく、蛇腹部材２２の付勢力に押されて製品１の上側に安定的に残存するため、梱包箱１０ｄの内容物が落下して破損する事故は未然に防止される。
【００３７】
以上説明した各実施形態では、梱包箱１０，１０ａ〜１０ｄを下方に付勢するために、蛇腹部材２２は梱包箱１０，１０ａ〜１０ｄと上部外装箱６，６ａの間に設けるものとされていた。具体的には、第１実施形態では蛇腹部材２２は梱包箱１０，１０ａ，１０ｂに設けられ、第３実施形態では蛇腹部材２２は上部外装箱６ａの内面に設けられていた。しかしながら、蛇腹部材２２を梱包箱からも上部外装箱からも独立した構成要素とし、梱包箱と上部外装箱の間に設けるものとしてもよい。
【００３８】
以上説明した各実施形態では、上部外装箱６，６ａを引き上げた際に梱包箱１０，１０ａ，１０ｂ，１０ｃを製品１の上に残すために付勢する付勢部材として、梱包箱１０，１０ａ，１０ｂと同一材質の段ボールで構成可能な蛇腹部材２２を用いた。しかしながら、梱包箱を付勢する付勢手段は蛇腹部材２２に限定されず、弾性シートやコイルばね等、各種形状・構造・材質のばねや弾性部材を用いることもできる。
【００３９】
《実施形態における各態様の装置の構成とその効果について》
第１の態様の梱包装置は、
被梱包物が載置される下部外装箱と、
前記下部外装箱に載置された被梱包物の上部に設けられる上部緩衝材と、
前記上部緩衝材の上方から前記下部外装箱に向けて被梱包物に被せることにより被梱包物を収納する上部外装箱と、
前記上部緩衝材に隣接して被梱包物の上側に配置される梱包箱と、
を有する梱包装置であって、
前記梱包箱と前記上部外装箱の間に設けられて前記梱包箱を下方に付勢する付勢部材を有することを特徴としている。
【００４０】
第１の態様の梱包装置によれば、被梱包物に被せた上部外装箱を引き上げて開梱しようとした場合、外装箱の内面と上部緩衝材との摩擦力により、上部緩衝材及び梱包箱には外装箱とともに浮き上がろうとする力が作用する。しかしながら、上部外装箱と梱包箱の間には、梱包箱を下方に付勢する付勢部材が設けられているため、梱包箱は外装箱とともに持ち上げられることなく、付勢部材の付勢力に押さえ付けられて被梱包物の上側に残存する。従って、外装箱の持ち上げによる開梱時に梱包箱が落下して内容物が破損する事故は未然に防止される。
【００４１】
第２の態様の梱包装置は、第１の態様の梱包装置において、
前記付勢部材が、前記梱包箱に設けられた蛇腹部材であることを特徴としている。
【００４２】
第２の態様の梱包装置によれば、蛇腹部材を、相対的に大きく製造コストの高い上部外装箱ではなく、相対的に小さく製造コストの安価な梱包箱と一体に設けたので、蛇腹部材を必要な箇所に設けるためのコストを安価に抑えることができる。
【００４３】
第３の態様の梱包装置は、第１の態様の梱包装置において、
前記付勢部材が、前記上部外装箱に設けられた蛇腹部材であることを特徴としている。
【００４４】
第３の態様の梱包装置によれば、蛇腹部材を設ける位置を、種々の寸法・形状の梱包箱に接触しうるように配慮しておけば、用いる梱包箱の大きさや形状が変更されても、同一の上部外装箱で対応することができる。
【符号の説明】
【００４５】
１…被梱包物としての製品
２…上部緩衝材
３…下部緩衝材
５…下部外装箱
６，６ａ…上部外装箱
１０，１０ａ，１０ｂ，１０ｃ，１０ｄ…梱包箱
２２…付勢部材としての蛇腹部材
１００，１００ａ，１００ｃ…梱包装置
【図１】
2019131218.tif 000003
【図２】
2019131218.tif 000004
【図３】
2019131218.tif 000005
【図４】
2019131218.tif 000006
【図５】
2019131218.tif 000007
【図６】
2019131218.tif 000008
【図７】
2019131218.tif 000009
【図８】
2019131218.tif 000010
【図９】
2019131218.tif 000011